(57)【特許請求の範囲】
【請求項１】
はぜ締め式折板屋根の上方に平面略長方形状のコンクリート系パネルを多数並べた状態で取付けるコンクリート系パネルの取付構造であって、
上記各コンクリート系パネルの互いに対向する長辺小口側の縁部にそれぞれ係合して該パネルを支持する支持フレームを備え、その支持フレームの長手方向複数箇所の下面側に溶接等で一体的に固着した下向きコ字形の脚片を、上記はぜ締め式折板屋根のはぜ締め部を跨ぐようにして該折板屋根の上部に載置すると共に、上記コ字形脚片の対向辺にそれぞれねじ込んだ固定ボルト間に上記はぜ締め部の首部を挟んで抜け止め固定するようにし、
上記コンクリート系パネルの上下両面に、飛散防止用ネットを配置してなるコンクリート系パネルの取付構造。
【請求項２】
上記コンクリート系パネルは、軽量気泡コンクリートパネルである請求項１に記載のコンクリート系パネルの取付構造。
【発明の詳細な説明】
【技術分野】
【０００１】
本発明は、ＡＬＣ（軽量気泡コンクリート）パネル等のコンクリート系パネルの取付構造に関する。更に詳しくは、折板屋根、特にはぜ締め式の折板屋根の上方に、コンクリート系パネルを取付ける場合の取付構造に関するものである。
【背景技術】
【０００２】
最近たとえば都市部の環境美化やヒートアイランド対策として、建物の屋根や屋上もしくは外壁面を緑化することが盛んに行われている。即ち、建物の上記部位に各種の植物を植えることによって、建物の表面温度を低下させて外気温の上昇を抑制させると共に、美観を向上させるものである。
【０００３】
具体的には、例えば工場や体育館等の比較的広い面積の屋根に用いられる折板屋根の上を緑化することが提案されており、その一例として下記特許文献１，２においては、折板屋根の上に土壌保持マットやユニット式プランタを直接載置し、それらに形成されたＵ字状の凹部内に土壌を収容したり、その上部に植生マットを配置して植物を育成することが提案されている。
【０００４】
【特許文献１】特開２００４−１１６０２２号公報
【特許文献２】特開２００４−１３７８９５号公報
【発明の開示】
【発明が解決しようとする課題】
【０００５】
ところが、上記のように折板屋根の上にマットを直接載置して、その上で植物を育成するものは、雨水や散水等の水分が上記マットに吸収され、そのマットの少なくとも一部が上記折板屋根の表面に常時密着した状態にあるので折板屋根が腐蝕しやすい。また上記マットや植物の維持管理等のために作業者が上記マットの上に不用意に載ると該マットが破損して土壌が落下する等のおそれがある。
【０００６】
そこで、上記折板屋根の上に平板状のパネルを載置し、その上に土壌マットや植生マットを配置して植物を育成することが考えられるが、上記折板屋根の上に単にパネルを載置しただけでは充分ではなく、何らかの手段で固定する必要がある。しかし、はぜ締め式の折板屋根にあっては山の上部に、はぜ締め部が突出しているため、それとの干渉を避けてパネルを載置し、かつ固定しなければならい。
【０００７】
また、上記のようなパネルとしては、吸水性や耐食性がよく、しかも断熱性にも優れたＡＬＣパネル等のコンクリート系のパネルを用いるのが好ましく、またパネル上で植物を育成する場合はもとより、パネル上で植物を育成しない場合でも、折板屋根の上にパネルを配置するだけで、それらの二重屋根による断熱作用と相まって断熱効果を大幅に向上させることができる等の利点もある。
【０００８】
本発明は上記の点に鑑みて提案されたもので、ＡＬＣパネル等のコンクリート系パネルを、はぜ締め式の折板屋根の上面に強固に且つ安定性よく取付けることのできる取付構造を提供することを目的とする。
【課題を解決するための手段】
【０００９】
上記の目的を達成するために本発明による折板屋根へのコンクリート系パネルの取付構造は、以下の構成としたものである。即ち、はぜ締め式折板屋根の上方に平面略長方形状のコンクリート系パネルを多数並べた状態で取付けるコンクリート系パネルの取付構造であって、上記各コンクリート系パネルの互いに対向する長辺小口側の縁部にそれぞれ係合して該パネルを支持する支持フレームを備え、その支持フレームの長手方向複数箇所の下面側に溶接等で一体的に固着した下向きコ字形の脚片を、上記はぜ締め式折板屋根のはぜ締め部を跨ぐようにして該折板屋根の上部に載置すると共に、上記コ字形脚片の対向辺にそれぞれねじ込んだ固定ボルト間に上記はぜ締め部の首部を挟んで抜け止め固定するようにし、上記コンクリート系パネルの上下両面に、飛散防止用ネットを配置してなることを特徴とする。
【発明の効果】
【００１０】
上記のように構成された本発明による折板屋根へのコンクリート系パネルの取付構造によれば、ＡＬＣパネル等のコンクリート系パネルを、はぜ締め式の折板屋根の上面に強固に且つ安定性よく取付けることができる。またコンクリート系パネルの互いに対向する長辺小口側の縁部にそれぞれ支持フレームを係合させて支持するようにしたから、上記パネルを安定かつ強固に支持することが可能となる。また折板屋根の上部に載置される脚片を下向きコ字形に形成すると共に、該脚片を支持フレームの長手方向全長にわたって設けるのではなく、支持フレームの長手方向複数箇所に設けるようにしたから、上記折板屋根と脚片との接触面積を極力小さくして該接触面での腐蝕の発生を可及的に低減することができる。さらに上記コ字形脚片の対向辺に設けた固定ボルト間に、はぜ締め部の首部を挟んで抜け止め固定するようにしたから、上記パネルや支持フレームおよび脚片の寸法精度や配置位置もしくは取付位置等に多少のバラツキや誤差等があっても上記パネルを折板屋根に良好に取付けることが可能となる。
【発明を実施するための最良の形態】
【００１１】
以下、本発明によるコンクリート系パネルの取付構造を図に示す実施形態に基づいて具体的に説明する。
【００１２】
図１（ａ）は本発明によるコンクリート系パネルの取付構造の一実施形態を示す平面図、同図（ｂ）は（ａ）におけるｂ−ｂ断面図、図２（ａ）は図１（ｂ）の一部の拡大図、図２（ｂ）は（ａ）の一部の拡大図、同図（ｃ）は（ｂ）の更に一部の拡大図、図３（ａ）は図１（ａ）におけるＡ−Ａ断面図、図３（ｂ）は（ａ）の一部の拡大図である。
【００１３】
図において、１は折板屋根で、本発明においては、はぜ締め式の折板屋根に適用したものである。その折板屋根１は図１（ｂ）に示すように断面台形状の山部１ａと断面逆台形状の谷部１ｂとが、交互に連続的にあらわれる略波状に形成され、その山部１ａの中央部上面に、図２（ｂ）および（ｃ）に示すように、はぜ締め部１１が設けられている。
【００１４】
そして、上記折板屋根１の上方に、図１に示すように平面略長方形状のコンクリート系パネル２を前後および左右方向に多数並べた状態で支持フレーム３と脚片４とを介して取付けたもので、本実施形態においては上記コンクリート系パネル２としてＡＬＣパネルを用いたものであるが、他のコンクリート系パネルを用いるようにしてもよい。
【００１５】
また上記パネル２の各部の寸法は適宜であるが、本実施形態においては長さ約１８００ｍｍ、幅約６００ｍｍ、厚さ約３７ｍｍに形成された既製のＡＬＣパネルを用い、その幅のみを狭く裁断して使用するようにしたもので、その幅（図１で左右方向の寸法）は、上記折板屋根１の隣り合う山部１ａ・１ａの配列ピッチ（間隔）にほぼ合わせて約５００ｍｍに形成されている。
【００１６】
上記支持フレーム３は、図１および図２（ａ）に示すように各コンクリート系パネル２の互いに対向する長辺小口側（図１において左右両側）の縁部にそれぞれ係合するように本実施形態においては断面コ字形に形成したもので、隣り合うパネル２・２の互いに近接する縁部に係合する支持フレーム３・３は、図２（ｃ）のように上記コ字形フレームの基部３ａ側が互いに背中合わせになるようにして配置されている。
【００１７】
そして、上記２つのコ字形支持フレーム３・３の長手方向複数箇所の下面側に、断面下向きコ字形の脚片４を溶接等で一体的に固着したもので、図の場合は図３に示すように上記両支持フレーム３・３の長手方向両端部と中間部の３箇所に脚片４が設けられている。なお、上記の背中合わせに配置した支持フレーム３・３も互いに溶接等で一体的に固着するのが望ましい。
【００１８】
上記各脚片４は、図２に示すように折板屋根１の山部１ａの上方に設けたはぜ締め部１１を跨ぐようにして上記山部１ａの上面に載置され、その下向きコ字形の脚片４の対向辺にそれぞれ固定ボルト５が設けられている。その各固定ボルト５は本実施形態においては上記対向辺に形成した雌ねじ孔（不図示）に螺合させることによって、互いに接近もしくは離間する方向に各々独立に進退可能であり、上記両固定ボルト５・５の先端部間に上記はぜ締め部１１の首部１１ａを挟むことによって上記脚片４を上記はぜ締め部１１に抜け止め固定している。
【００１９】
図中、６は上記パネル２の長手方向両端部に設けた断面Ｌ字形の押え金具、７はその押え金具６の取付ねじで、その押え金具６および支持フレーム３のそれぞれ上側の水平片を貫通して上記パネル２の角部にねじ込まれている。また、８ａおよび８ｂは上記パネル２の上面および下面側に配置したステンレス金網等よりなる飛散防止用ネットで、上記パネル２が万一破損した場合にも、その破片等が飛散するの防ぐためのもので必要に応じて設ける。
【００２０】
上記のように構成されたコンクリート系パネルの取付構造を施工する際の手順等は適宜であるが、以下その施工手順の一例を図４に基づいて説明する。先ず、上記の飛散防止用ネット８ａ，８ｂを用いる場合には、図４（ａ）のように折板屋根１の上面に下側の飛散防止用ネット８ｂを敷設し、その上から支持フレーム３と一体的に設けた複数個の脚片４を折板屋根１のはぜ締め部１１を跨ぐようにして山部１ａの上面に載置する。その際、上記飛散防止用ネット８ｂの網目が脚片４よりも大きい場合には、その脚片４を網目内に挿通して上記山部１ａに載置するのが好ましい。なお、網目が小さい場合や、脚片４を網目内に挿通するのが面倒な場合には、上記脚片４と山部１ａとの間に上記ネット８ｂを挟んでも差し支えない。
【００２１】
次いで、上記各脚片４の対向辺に設けた固定ボルト５・５をねじ込むことによって、上記両ボルト５・５間に上記はぜ締め部１１の首部１１ａを挟んで抜け止め固定する。それによって上記山部１ａの上方に複数個の脚片４を介して支持フレーム３が設置される。このようにして折板屋根１の上方に適宜の本数の支持フレーム３が設置されたところで、図４（ｂ）のように対向する支持フレーム３・３間に、それらの一端側からパネル２を挿入すると、該パネル２が図のように折板屋根１の上方に所定の間隔を置いた状態で配置される。その際、上記パネルや支持フレームおよび脚片の寸法精度や配置位置もしくは取付位置等に多少のバラツキや誤差等がある場合には、上記固定ボルト５・５のねじ込み量を加減して上記脚片４および支持フレーム３の位置を調整すればよく、そのような場合にも上記両固定ボルト５・５間に、はぜ締め部１１の首部１１ａを挟んで固定する構成であるからガタツキ等が生じることなく安定性よく固定することができる。
【００２２】
そして、上記のようにして適宜枚数のパネル２が設置されたところで、図４（ｂ）のように、パネル２の長手方向両端部の上部角部に押え金具６を配置して取付ねじ７で取付ける。次いで、図５に示すように必要に応じて上側の飛散防止用ネット８ａを設置すればよい。以上の施工手順は一例であり、１回の作業で設置する支持フレーム３やパネル２の数、および飛散防止用ネット８ａ，８ｂの敷設範囲等は適宜変更可能である。
【００２３】
また、上記のようにして折板屋根１の上方に設置したコンクリート系パネル２の上を緑化する場合には、上記パネル２の上に直接植栽土壌等を設けて植物を植えてもよく、或いは植栽マットやプランタ等を設置して植栽するようにしてもよい。また上記のような緑化する場合に限らず、上記のように折板屋根１の上方にコンクリート系パネル２を設置するだけでも該パネル２による断熱作用と、上記折板屋根１とコンクリート系パネル２との二重屋根による断熱作用とで建物内外の温度上昇や温度低下が抑制され、省エネ効果を発揮させることができる。
【００２４】
なお、上記実施形態は、平面略長方形状のコンクリート系パネルを、その長手方向が、はぜ締め式折板屋根１のはぜ締め部１１の長手方向と平行な方向、すなわち山部１ａの稜線方向と平行な方向になるようにしたが、上記稜線方向と直交する方向に配置するようにしてもよい。図６〜図８はその一例を示す実施形態であり、前記図１〜図３の実施形態と同様の機能を有する部材には同一の符号を付して重複する説明は省略する。
【００２５】
本実施形態においてもコンクリート系パネル２として平面略長方形状のＡＬＣパネルを用い、その長手方向が、図６に示すように山部１ａの稜線方向と直交する方向になるようにして前後および左右方向に多数並べた配置したものである。上記パネル２の各部の寸法は適宜であるが、本実施形態においても前記と同様に長さ約１８００ｍｍ、幅約６００ｍｍ、厚さ約３７ｍｍに形成された既製のＡＬＣパネルを用い、その長さのみを短く裁断して使用するようにしたもので、その長さ（図６で左右方向の寸法）は、上記折板屋根１の隣り合う山部１ａ・１ａの配列ピッチ（間隔）である約５００ｍｍの３倍の約１５００ｍｍに形成されている。
【００２６】
上記各パネル２は、前記実施形態と同様に折板屋根１の上方に支持フレーム３と脚片４とを介して取付けるもので、その支持フレーム３は前記実施形態と同様に断面コ字形に形成され、そのコ字形の凹部内に上記各コンクリート系パネルの互いに対向する長辺小口側の縁部を係合させて支持する構成である。その支持フレーム３の下面側には前記実施形態と同様に複数個の断面下向きコ字形の脚片４が溶接等で一体的に固着され、その各脚片４を、上記はぜ締め式折板屋根１のはぜ締め部１１を跨ぐようにして該折板屋根１の上部に載置すると共に、その各コ字形脚片４の対向辺にねじ込んだ固定ボルト５・５間に上記はぜ締め部１１の首部１１ａを挟んで抜け止め固定する構成である。なお、上記パネル２の長手方向と平行な方向に隣り合う支持フレーム３・３間に配設される脚片４は、その両方に支持フレーム３・３に溶接等で固着するか、或いはそのいずれか一方の支持フレーム３にのみ固着するようにしてもよい。
【００２７】
上記図６〜図８の実施形態が、前記図１〜図３の実施形態と主として異なるのは、上記のように折板屋根１に対するコンクリート系パネル２の向きであり、それに伴って各支持フレーム３に対する脚片４の向き（配置方向）も相違している。即ち、前記実施形態においては、図１（ｂ）に示すように支持フレーム３の長手方向一端側から見たとき脚片４がコ字形を呈するように配置されているのに対して、本実施形態においては、図６（ｂ）に示すように支持フレーム３の長手方向と直角方向から見たとき脚片４がコ字形を呈するように配置されている。また脚片４の各支持フレーム３に対する配置位置も前記実施形態においては各支持フレーム３の長手方向両端部と中間部（ただし、その中間部の脚片４の配置位置と個数は適宜である）とに設けているのに対して、本実施形態においては折板屋根１の山部１ａの配列ピッチに対応して設けられている点で相違する。上記以外の構成は前記実施形態とほぼ同様であり、前記と同様の作用効果が得られる。
【００２８】
なお、上記各実施形態は、パネル２の縁部に係合する支持フレーム３を断面コ字形に形成し、隣り合うパネル２・２の互いに近接する縁部に係合する支持フレーム３・３は、図２（ｃ）および図８のようにコ字形フレームの基部３ａ側が互いに背中合わせになるように配置したが、その背中合わせの支持フレーム３・３の代わりに横断面横向きＨ形の支持フレームを用いるようにしてもよい。また上記各支持フレーム３は、図の場合はコンクリート系パネル２の長手方法の長さとほぼ同等に形成したが、その長さは適宜変更可能である。また上記各支持フレーム３および押え金具６の幅や高さ、及び押え金具６の長さも適宜変更することができる。
【００２９】
さらに前記図１で左右方向および前記図６で前後方向に並べて配置されるパネルのうち最も外側に位置するパネルの外側の長辺小口に係合する支持フレーム３は、上記のように背中合わせにすることなく単独の支持フレーム３のみで構成し、その支持フレーム３の長手方向複数箇所の下面側に上記脚片４を取付けるようにしてもよい。
【００３０】
上記のように構成された本発明による折板屋根へのコンクリート系パネルの取付構造によれば、はぜ締め式の折板屋根１にあっても、はぜ締め部１１が邪魔になることなく、むしろ、そのはぜ締め部１１を利用してＡＬＣパネル等のコンクリート系パネル２を、上記折板屋根１の上面に強固に且つ安定性よく取付けることができる。またコンクリート系パネル２の互いに対向する長辺小口側の縁部にそれぞれ支持フレーム３を係合させて支持するようにしたから、上記パネル２を安定性よく且つ強固に支持することができる。
【００３１】
また折板屋根１の上部に載置される脚片４を下向きコ字形に形成すると共に、該脚片４を支持フレーム３の長手方向全長にわたって設けるのではなく、支持フレーム３の長手方向複数箇所に設けるようにしたから、上記折板屋根１と脚片４との接触面積を極力小さくして該接触面での腐蝕の発生を可及的に低減することが可能となる。さらに上記コ字形脚片４の対向辺に設けた固定ボルト５・５間に、はぜ締め部１１の首部１１ａを挟んで抜け止め固定するようにしたから、例えば、はぜ締め部１１に取付穴等の穴明け加工等を施こして取付けたり、溶接等で取付ける場合に比べて簡単・確実に取付けることができる。しかも、上記のような穴明け加工等を施すことによって雨漏り等が発生したり、溶接によって折板屋根が劣化して耐久性が低下するのを未然に防止することもできる。
【００３２】
さらに本発明による折板屋根１へのコンクリート系パネル２の取付構造は、新規に折板屋根１を有する建物を建設する場合はもとより、既存の折板屋根１を有する建物にも適用することができる。また上記パネル２や支持フレーム３および脚片４の寸法精度や配置位置もしくは取付位置等に多少のバラツキや誤差等があっても上記パネル２を折板屋根１の上方に良好に取付けることができる。さらにパネル２が破損した場合にも、該当部分だけ取り外しができるため、メンテナンスが容易である等の利点がある。
【産業上の利用可能性】
【００３３】
以上のように本発明によれば、折板屋根１の上を緑化する場合などにおいて、その折板屋根１の上方にＡＬＣパネル等のコンクリート系パネル２を設置して、その上に直接土壌等を設けて植物を植えたり、或いは植栽マットやプランタ等を設置して植栽することもできる。また緑化しない場合でも、上記のように折板屋根１の上方にコンクリート系パネル２を設置するだけで該パネル２による断熱作用と、上記折板屋根１とコンクリート系パネル２との二重屋根による断熱作用とで建物内外の温度上昇や温度低下を抑制することが可能となり、冷暖房費の節約や省エネルギーに効果があり、産業上も有効に利用できるものである。
【図面の簡単な説明】
【００３４】
【図１】（ａ）は本発明によるコンクリート系パネルの取付構造の一実施形態を示す平面図、（ｂ）は（ａ）におけるｂ−ｂ断面図。
【図２】（ａ）は図１（ｂ）の一部の拡大図、（ｂ）は（ａ）の一部の拡大図、（ｃ）は（ｂ）の更に一部の拡大図。
【図３】（ａ）は図１（ａ）におけるＡ−Ａ断面図、（ｂ）は（ａ）の一部の拡大図。
【図４】（ａ）〜（ｃ）はコンクリート系パネルの取付手順の一例を示す斜視図。
【図５】上記コンクリート系パネルを折板屋根の上方に取付けた状態の斜視図。
【図６】（ａ）は本発明によるコンクリート系パネルの取付構造の他の実施形態を示す平面図、（ｂ）は（ａ）におけるｂ−ｂ断面図。
【図７】（ａ）は図１（ｂ）の一部の拡大図、（ｂ）は（ａ）の一部の拡大図、（ｃ）は（ｂ）の更に一部の拡大図。
【図８】（ａ）は図１（ａ）におけるＡ−Ａ断面図、（ｂ）は（ａ）の一部の拡大図。
【００３５】
１  折板屋根
１ａ  山部
１ｂ  谷部
１１  はぜ締め部
１１ａ  首部
２  パネル
３  支持フレーム
４  脚片
５  固定ボルト
６  押え金具
７  取付ねじ
８ａ、８ｂ  飛散防止ネット
【図１】
0005105363.tif 000002
【図２】
0005105363.tif 000003
【図３】
0005105363.tif 000004
【図４】
0005105363.tif 000005
【図５】
0005105363.tif 000006
【図６】
0005105363.tif 000007
【図７】
0005105363.tif 000008
【図８】
0005105363.tif 000009